(57)【要約】【課題】噴射ノズル及び遮蔽板を内部に備えた吸引ノズルにおいて、遮蔽板自体、遮蔽板と吸引ノズルの内壁面との間等の付着物を除去し易いと共に、先端部の形状を変更することができる湿式電気掃除機用吸引ノズルを提供する。【解決手段】吸引ホースに連結され、被洗浄物に噴射ノズル51から洗浄液を噴射し且つ該被洗浄物の汚れを水分と空気と共に吸引する湿式電気掃除機用の吸引ノズル11であって、前記吸引ホース側の後方部11Bと、吸引ノズル11の先端部11D側の前方部11Aと、後方部11Bと前方部11Aとの間の中央部11Cとに分割され、前方部11Aの後端部68に中央部11Cの前端部81が連結され、中央部11Cの後端部90に後方部11Bの前端部71が連結されるようになっており、後方部11Bの内部には、噴射ノズル51と噴射された洗浄液を遮蔽する遮蔽板53が配置されている。【選択図】図４
2006239090.tif 000002
【特許請求の範囲】
【請求項１】
吸引ホースに連結され、被洗浄物に噴射ノズルから洗浄液を噴射し且つ該被洗浄物の汚れを水分と空気と共に吸引する湿式電気掃除機用の吸引ノズルであって、
前記吸引ホース側の後方部と、前記吸引ノズルの先端部側の前方部と、該後方部と該前方部との間の中央部とに分割され、該前方部の後端部に該中央部の前端部が連結され、該中央部の後端部に該後方部の前端部が連結されるようになっており、
前記後方部の内部には、前記噴射ノズルと噴射された洗浄液を遮蔽する遮蔽板が配置されている湿式電気掃除機用吸引ノズル。
【請求項２】
前記噴射ノズルの噴射口は、前記後方部の前端部から突出しており、
前記遮蔽板は、前記中央部と前記後方部との嵌合状態下において、該中央部の内部における該中央部の前端部と前記噴射ノズルの噴射口との間に設けられている請求項１記載の湿式電気掃除機用吸引ノズル。
【請求項３】
前記遮蔽板における前記中央部の後端部側の面は、該後端部から該中央部の前端部に向けて凹に湾曲している請求項１又は２に記載の湿式電気掃除機用吸引ノズル。
【請求項４】
前記遮蔽板における前記中央部の後端部側の面は、その全体形状が椀状となっている請求項３記載の湿式電気掃除機用吸引ノズル。
【請求項５】
前記遮蔽板における前記中央部の後端部側の端縁は、該中央部と前記後方部との嵌合状態下において、側面視で、前記噴射ノズルの噴射口よりも該中央部の後端部側に位置している請求項３又は４に記載の湿式電気掃除機用吸引ノズル。
【請求項６】
前記遮蔽板には、前記噴射ノズルから噴射された洗浄液を導通する導通部が、該遮蔽板が下降したときに該遮蔽板と該噴射ノズルとが接触しない形状で設けられている請求項１〜５の何れかに記載の湿式電気掃除機用吸引ノズル。
【請求項７】
前記中央部の上部には、前記遮蔽板に連結したピストン及び該ピストンをガイドするガイド凸状体が設けられており、前記前方部の後端部の上部には、ピストン切欠部が設けられており、該ピストン切欠部には、該前方部と前記中央部との嵌合状態下において、該中央部の前記ガイド凸状体が嵌るようになっている請求項１〜６の何れかに記載の湿式電気掃除機用吸引ノズル。
【請求項８】
前記遮蔽板における前記中央部の前端部側の面は、該中央部の後端部から前端部に向けて凸形状となっている請求項１〜７の何れかに記載の湿式電気掃除機用吸引ノズル。
【発明の詳細な説明】
【技術分野】
【０００１】
本発明は、被洗浄物の汚れを水分と空気と共に吸引する湿式電気掃除機用の吸引ノズルに関する。
【背景技術】
【０００２】
従来より、主に業務用として、吸引ノズルの内部の噴射ノズルから被洗浄物に洗浄液を噴射しながら、被洗浄物の汚れを水分と空気と共に吸引する湿式電気掃除機が使用されている。
このような湿式電気掃除機には、下記特許文献１のように、吸引ノズルの先端部と噴射ノズルの噴射口との間に該噴射ノズルから噴射される洗浄液を遮蔽する遮蔽板が設けられることもある。かかる湿式電気掃除機では、吸引ノズルを被洗浄物から離しているときに、噴射ノズルから噴射される洗浄液を遮蔽板により遮蔽して、洗浄液が吸引ノズルから飛散しないようにすることができる。
【０００３】
【特許文献１】特開２００１−２９９９０３号公報
【発明の開示】
【発明が解決しようとする課題】
【０００４】
被洗浄物の汚れを吸引した後には、遮蔽板自体、遮蔽板と吸引ノズルの内壁面との間、遮蔽板と噴射ノズルとの間、噴射ノズルの噴射口、吸引ノズルの内壁面等に、被洗浄物からのゴミ等（以下、付着物という）の絡み付き、引っ掛かり、巻き付き、挟まりなどが起こりやすい。
しかし、特許文献１記載の湿式電気掃除機における吸引ノズルでは、遮蔽板自体、遮蔽板と吸引ノズルの内壁面との間等に付着した付着物を除去し難い構造となっている。
【０００５】
また、湿式電気掃除機においては、被洗浄物の大きさや形状等によって、先端部が略筒形状の吸引ノズル、先端部が幅広形状の吸引ノズル等を使い分けることが望まれている。
しかし、特許文献１には、そのような観点で吸引ノズルの構造を工夫することについては言及されていない。
【０００６】
従って、本発明の目的は、噴射ノズル及び遮蔽板を内部に備えた吸引ノズルにおいて、遮蔽板自体、遮蔽板と吸引ノズルの内壁面との間等の付着物を除去し易いと共に、先端部の形状を変更することができる湿式電気掃除機用吸引ノズルを提供することにある。
【課題を解決するための手段】
【０００７】
本発明は、吸引ホースに連結され、被洗浄物に噴射ノズルから洗浄液を噴射し且つ該被洗浄物の汚れを水分と空気と共に吸引する湿式電気掃除機用の吸引ノズルであって、前記吸引ホース側の後方部と、前記吸引ノズルの先端部側の前方部と、該後方部と該前方部との間の中央部とに分割され、該前方部の後端部に該中央部の前端部が連結され、該中央部の後端部に該後方部の前端部が連結されるようになっており、前記後方部の内部には、前記噴射ノズルと噴射された洗浄液を遮蔽する遮蔽板が配置されている湿式電気掃除機用吸引ノズルを提供することにより、上記目的を達成したものである。なお、吸引ホース側の前記後方部は、前記吸引ホースと直接連結するが、先端部側の前記前方部及び該前方部と該後方部との間の中央部は、前記吸引ホースと直接には連結せず、該後方部を介して連結する。
【発明の効果】
【０００８】
本発明の湿式電気掃除機用吸引ノズルによれば、噴射ノズル及び遮蔽板を内部に備えた吸引ノズルにおいて、遮蔽板自体、遮蔽板と吸引ノズルの内壁面との間等の付着物を除去し易いと共に、先端部の形状を変更することができる。
【発明を実施するための最良の形態】
【０００９】
以下、本発明の湿式電気掃除機用吸引ノズル（以下単に「吸引ノズル」という）を、その好ましい一実施形態について、図面を参照しながら説明する。
本実施形態の吸引ノズル１１は、図１及び図２に示すように、被洗浄物に噴射ノズル５１から洗浄液Ｗを噴射し、該被洗浄物の汚れを水分と空気と共に吸引する湿式電気掃除機用の吸引ノズルである。
【００１０】
そして、本実施形態の吸引ノズル１１は、該吸引ノズル１１と、該吸引ノズル１１から吸引される汚れ、水分及び空気の混合流Ａを導通する吸引ホース１２と、該混合流Ａから空気Ｃを吸引して排気する出力１．５ｋＷ以下の電動ファン１５と、該吸引ホース１２からの該混合流Ａから分離される汚れと水分（汚水Ｂ）を貯溜する汚水タンク１４とを備え、床等の建物構造部の清掃に用いられる湿式電気掃除機における吸引ノズルとして使用される。
【００１１】
本実施形態の吸引ノズル１１について更に詳述する。
吸引ノズル１１は、図３に示すように、屈曲した全体形状を有する中空体である。その先端部１１Ｄは開口し、被洗浄物との接触面となっている。その後端部も開口し、吸引ホース１２との連結部（ホース連結部７９）となっている。
吸引ノズル１１は、図４に示すように、先端部１１Ｄ側の前方部１１Ａと、吸引ホース１２側の後方部１１Ｂと、前方部１１Ａと後方部１１Ｂとの間の中央部１１Ｃとに分割されるようになっている。そして、それらは連結されるが、嵌合により連結するのが簡便であり、好ましい。本実施形態では、前方部１１Ａにおける筒状の後端嵌合部６４の内側に、中央部１１Ｃにおける筒状の前端嵌合部８２を嵌合させて、前方部１１Ａと中央部１１Ｃとが連結されるようになっており、また、中央部１１Ｃにおける筒状の後端嵌合部８９の内側に、後方部１１Ｂにおける筒状の前端嵌合部７２を嵌合させて、中央部１１Ｃと後方部１１Ｂとが連結されるようになっている。
【００１２】
先ず、前方部１１Ａについて詳述する。
前方部１１Ａは、吸引ノズル１１における先端部１１Ｄ側の部位で、図５に示すように、全体形状が略筒形状で、後端嵌合部６４と連通する筒状の前方本体６３を有している。
【００１３】
前方部１１Ａの先端部６１には、図５に示すように、全周に亘って軟質部材６２が設けられている。軟質部材６２は、洗浄時に先端部６１と被洗浄物との間の隙間防止（これにより吸引効果の向上や洗浄液の飛散防止が図られる）や被洗浄物の損傷防止の役割を果たす部材で、軟質な材であれば、その材質に特に制限はない。本実施形態においては、ゴムシートを用いている。
【００１４】
軟質部材６２には、図５に示すように、通気機構として、先端部６１から後端嵌合部６４に向けて延びる通気用スリット６２Ａが設けられている。通気用スリット６２Ａは、洗浄時に先端部６１と被洗浄物とが密着しても、通気用スリット６２Ａを介して通気を確保し、吸引ノズル１１から通気しないことに起因する電動ファン１５への過負荷を防止するためのものである。
【００１５】
軟質部材６２の内側には、図５に示すように、その内周面に沿って、ブラシ６７が所定間隔をあけて複数束設けられている。ブラシ６７は、複数本の毛から１束が形成されたもので、被洗浄物から汚れを掻き出して除去するためのものである。
【００１６】
後端嵌合部６４は、図５に示すように、前方本体６３の中央部１１Ｃ側に設けられた円形断面を有する筒状の部位で、その内側に、中央部１１Ｃの前端嵌合部８２が嵌合されるようになっている。
【００１７】
前方部１１Ａの後端嵌合部６４の上部には、図５に示すように、ピストン切欠部６５が設けられている。ピストン切欠部６５は、平面視で、後端部６８から先端部６１に向けて凹の略半円形を有している。ピストン切欠部６５には、図３に示すように、前方部１１Ａと中央部１１Ｃとの嵌合状態下において、中央部１１Ｃの円筒状のガイド凸状体８５（後述）が嵌るようになっている。
【００１８】
次に、後方部１１Ｂについて詳述する。
後方部１１Ｂは、図１及び図２に示すように、吸引ノズル１１における吸引ホース１２に連結される部位である。後方部１１Ｂは、図４に示すように、側面視で屈曲した後方本体７３を主体として構成されている。
【００１９】
後方部１１Ｂの前端部７１側は、図４に示すように、中央部１１Ｃの後端嵌合部８９（後述）に嵌合される前端嵌合部７２となっている。前端嵌合部７２の外周面には、１２０°ずつ離間して３個の係合凸条７２Ａが設けられている。係合凸条７２Ａは、それに対応して中央部１１Ｃにおける後端嵌合部８９に設けられた３個の係合溝８９Ａ（後述）に係合するようになっている。
【００２０】
後方部１１Ｂのホース連結部７９は、図１〜図３に示すように、吸引ホース１２の一端部１２Ａと嵌合する部位である。
後方部１１Ｂの下方には、図４及び図９に示すように、送液チューブ５２との連結部であるチューブ連結部５５が配されている。また、図４、図９及び図１０に示すように、チューブ連結部５５と噴射ノズル５１とを連通する屈曲管路５４が、後方部１１Ｂの外周下部を貫通して設けられている。
【００２１】
後方部１１Ｂの内部には、図４及び図１０に示すように、噴射ノズル５１が配置されている。噴射ノズル５１の噴射口５１Ａは、後方部１１Ｂの前端部７１から突出している。
噴射ノズル５１は、図１、図４及び図１０に示すように、屈曲管路５４及びチューブ連結部５５を介して、送液チューブ５２に連結されており、送液チューブ５２から送給される洗浄液を噴射口５１Ａから被洗浄物に向けて噴射できるようになっている。
噴射ノズル５１は、噴射口５１Ａを交換することにより、円錐状、放射状、平面的な扇状に噴射または噴霧したり、洗浄液を勢いよく直線状に噴射することができる。
円錐状又は扇状に噴射する噴射口における放射角度は、例えば９０°〜１５０°、好ましくは１１０°〜１３０°である。
【００２２】
次に、中央部１１Ｃについて詳述する。
中央部１１Ｃは、図３及び図４に示すように、前方部１１Ａと後方部１１Ｂとの間の部位で、図６に示すように、全体形状が略筒形状である。中央部１１Ｃは、筒状の中央本体８３と前端部８１側の前端嵌合部８２と後端部９０側の後端嵌合部８９とを有している。
前端嵌合部８２には、前方部１１Ａの後端嵌合部６４が嵌合されるようになっており、後端嵌合部８９には、後方部１１Ｂの前端嵌合部７２が嵌合されるようになっている。
【００２３】
中央部１１Ｃには、噴射ノズル５１から噴射された洗浄液を遮蔽する遮蔽板５３が、図１０に示すように、中央部１１Ｃと後方部１１Ｂとの嵌合状態下において、噴射ノズル５１の噴射口５１Ａの前方に配置するように設けられている。詳細には、遮蔽板５３は、中央部１１と後方部１１Ｂとの嵌合状態下において、中央部１１Ｃの内部における中央部１の前端部８１と噴射ノズル５１の噴射口５１Ａとの間に設けられている。
【００２４】
遮蔽板５３について詳述する。
遮蔽板５３は、図７及び図８に示すように、中央部１１Ｃの後端部９０側の面が、後端部９０から中央部１１Ｃの前端部８１に向けて凹に湾曲している。詳細には、遮蔽板５３における中央部１１Ｃの後端部９０側の面は、その全体形状が椀状となっている。
遮蔽板５３は、椀状の板本体５３Ｃを主体として構成されており、遮蔽板５３における中央部１１Ｃの前端部８１側の面も丸みを帯びている。
【００２５】
板本体５３Ｃの上部には、正面視で矩形の導通部５３Ａが設けられている。導通部５３Ａは、噴射ノズル５１から噴射された洗浄液を導通するための開口部分で、遮蔽板５３が下降したときに遮蔽板５３と噴射ノズル５１とが接触しないような形状で設けられている。導通部５３Ａは、板本体５３Ｃの正面視における中心部には掛からないように配置されている。
【００２６】
遮蔽板５３における中央部１１Ｃの後端部９０側の端縁５３Ｅは、図１０に示すように、中央部１１Ｃと後方部１１Ｂとの嵌合状態下において、側面視で、噴射ノズル５１の噴射口５１Ａよりも中央部１１Ｃの後端部９０側に位置している。詳細には、遮蔽板５３における中央部１１Ｃの後端部９０側の端縁５３Ｅは、中央部１１Ｃと後方部１１Ｂとの嵌合状態下において、略全周（導通部５３Ａを除く全周）に亘って、噴射ノズル５１の噴射口５１Ａよりも中央部１１Ｃの後端部９０側に位置している。
【００２７】
上述した遮蔽板５３における形状等の各工夫は、主として、遮蔽板５３による洗浄液の遮蔽効果を向上させるためのものである。
【００２８】
板本体５３Ｃの上部には、導通部５３Ａを跨ぐように、正面視でコ字状部分５３Ｄが延設されている。
コ字状部分５３Ｄには、ピストン８６（後述）と連結される棒状部分５３Ｂが延設されている。棒状部分５３Ｂは、図１０に示すように、中央部１１Ｃの上壁面に設けられた軸部貫通穴８７を貫通している。棒状部分５３Ｂの周囲にはコイルばね８８が設けられている。
【００２９】
中央部１１Ｃの前端嵌合部８２の上部には、図１０に示すように、遮蔽板５３に連結したピストン８６及び該ピストン８６をガイドするガイド凸状体８５が設けられている。
ピストン８６は、遮蔽板５３の棒状部分５３Ｂの頭部に連結され、ピストンガイドの役目を果たすガイド凸状体８５内に収容されている。ピストン８６は、遮蔽板５３が負圧状態下にあっても、引っ掛かり等によりで下方に移動しない場合に、ピストン８６を押して遮蔽板５３を強制的に下方に移動させるためのものである。
【００３０】
遮蔽板５３は、電動ファン１５の作動中に吸引ノズル１１が被洗浄物に接触し、更に、吸引ノズル１１内が所定の負圧状態になっている間だけ、図９（ｂ）及び図１０（ｂ）に示すように、所定の位置に下降するようになっており、この状態においては、図１１（ｂ）に示すように、噴射ノズル５１から噴射された洗浄液Ｗが被洗浄物に到達することができる。
また、電動ファン１５が作動中であっても、遮蔽板５３は、吸引ノズル１１が被洗浄物と非接触の状態では、図９（ａ）及び図１０（ａ）に示すように、コイルばね８８の作用により上昇するようになっており、この状態においては、図１１（ａ）に示すように、噴射ノズル５１から噴射されている洗浄液Ｗを遮蔽板５３によって遮蔽することができる。
【００３１】
中央部１１Ｃの前端嵌合部８２における両側部には、図６、図９及び図１０に示すように、洗浄液流通用の一対の流通切欠部８４が設けられている。一対の流通切欠部８４は、側面視で、後端部９０に向けて凹の略半円形である。
尚、この流通切欠部８４は、本実施形態のように、略筒形状の前方部１１Ａと組み合わせて使用する場合には、直接的に機能せず、図１３に示すような幅広形状で、前方部１１Ａと中央部１１Ｃとの嵌合状態下において流通切欠部８４と連通する中空拡開部６６を備えた前方部１１Ａ’と組み合わせて使用したときに機能する。詳細については後述する。
【００３２】
中央部１１Ｃの後端嵌合部８９には、図６に示すように、１２０°ずつ離間して３個の係合溝８９Ａが設けられている。係合溝８９Ａは、それに対応して後方部１１Ｂにおける前端嵌合部７２に設けられた３個の係合凸条７２Ａに係合するようになっている。
【００３３】
以上の構成を有する前方部１１Ａ、後方部１１Ｂ及び中央部１１Ｃは、図３に示すように、前方部１１Ａと中央部１１Ｃとが、後端嵌合部６４への前端嵌合部８２の嵌合により連結され、また、中央部１１Ｃと後方部１１Ｂとが、後端嵌合部８９への前端嵌合部７２の嵌合により連結されて、吸引ノズル１１を構成する。
ここで、図３に示すように、前方部１１Ａと中央部１１Ｃとを連結させると、中央部１１Ｃにおけるピストン８６をガイドするガイド凸状体８５が、前方部１１Ａの後端嵌合部６４の上部に形成されたピストン切欠部６５に嵌る。また、中央部１１Ｃと後方部１１Ｂとを連結させると、後方部１１Ｂにおける前端嵌合部７２の係合凸条７２Ａが、中央部１１Ｃにおける後端嵌合部８９の係合溝８９Ａに係合する。
【００３４】
次に、吸引ノズル１１における噴射ノズル５１と遮蔽板５３との位置関係について説明する。
電動ファン１５が作動していないときは、図９（ａ）及び図１０（ａ）に示すように、遮蔽板５３の板本体５３Ｃは、コイルばね８８の作用により、噴射ノズル５１の噴射口５１Ａと対向する位置に配置し、噴射口５１Ａを遮るようになっている。
電動ファン１５が作動し、吸引ノズル１１を被洗浄物に接触させたときは、吸引ノズル１１内が所定の負圧状態になるため、この状態においては、遮蔽板５３は下方に引っ張られて所定位置に移動し、図９（ｂ）及び図１０（ｂ）に示すように、噴射ノズル５１の噴射口５１Ａと遮蔽板５３の導通部５３Ａとが側面から見ると重なった位置になる。
【００３５】
一方、電動ファン１５が作動している状態であっても吸引ノズル１１が被洗浄面と非接触の状態では、吸引ノズル１１内の負圧が解除されて圧力が常圧になるので、遮蔽板５３はコイルばね８８の付勢力によって上方に引っ張られて移動し、再び、図９（ａ）及び図１０（ａ）に示すように、板本体５３Ｃが噴射口５１Ａと対向する位置に戻る。
【００３６】
次に、本実施形態の吸引ノズル１１を備えた湿式電気掃除機の一形態について詳述する。
前記吸引ホース１２は、図１及び図２に示すように、吸引ノズル１１と前記汚水タンク１４とを連通するホースであり、吸引ノズル１１から吸引される汚れ、水分及び空気の混合流Ａを汚水タンク１４内に導通するものである。
【００３７】
吸引ホース１２の一端部１２Ａは、図１〜図３に示すように、後方部１１Ｂのホース連結部７９と嵌合し、吸引ノズル１１の内部と連通しており、その他端部１２Ｂは、前記汚水タンク１４の上部の導入口１４Ａに嵌合している。
吸引ホース１２としては、従来より湿式電気掃除機用として用いられている吸引ホースを特に制限なく使用することができ、例えば、蛇腹状のホース、外側が蛇腹状で内側が平滑管状のホース、平滑管状のホース等が挙げられる。本形態の湿式電気掃除機においては、ホースの曲がり易さを確保しつつ、ホース内面の汚水の付着を防止する観点から、外側が蛇腹状で内側が平滑管状のホースを用いている。
【００３８】
前記汚水タンク１４は、混合流Ａから分離された汚れ及び水分（汚水Ｂ）を貯溜するタンクであり、本形態の湿式電気掃除機においては、略円筒形である。汚水タンク１４の上部には、混合流Ａを導入する導入口１４Ａ及び混合流Ａから汚水Ｂをほぼ分離した空気Ｃ’を排出する排出部１４Ｂが設けられている。
【００３９】
汚水タンク１４の排出部１４Ｂと電動ファン１５の吸引部１５Ａとの間には、混合流Ａから汚水Ｂをほぼ分離した空気Ｃ’から更に汚れ及び水分を分離するフィルタ１６が設けられている。
【００４０】
前記電動ファン１５は、混合流Ａから汚水Ｂをほぼ分離した空気Ｃ’を吸引し、排気部１５Ｂから空気Ｃを排出するもので、湿式電気掃除機のコンパクト化の面で、出力１．５ｋＷ以下のものが家庭用の湿式電気掃除機には適している。被洗浄物等の条件に応じて、１．２ｋＷ以下や１．０ｋＷ以下の電動ファンを用いることもできる。
【００４１】
次に、本実施形態の吸引ノズル１１を備えた前記湿式電気掃除機の一使用態様及びその効果について説明する。
電動ファン１５が作動していないときは、図９（ａ）及び図１０（ａ）に示すように、遮蔽板５３の板本体５３Ｃは、コイルばね８８の作用により、噴射口５１Ａと対向する位置に配置している。
【００４２】
電動ファン１５が作動している状態において、吸引ノズル１１を被洗浄物に接触させたときは、吸引ノズル１１内が所定の負圧状態になるため、遮蔽板５３は下方に引っ張られて移動し、図９（ｂ）及び図１０（ｂ）に示すように、噴射ノズル５１の噴射口５１Ａと遮蔽板５３の導通部５３Ａとが側面から見ると重なった位置になる。そのため、噴射ノズル５１から噴射された洗浄液Ｗは、図１１（ｂ）に示すように、遮蔽板５３の導通部５３Ａを通して被洗浄物に到達することができる。
そして、洗浄液が付着した被洗浄物からは、その汚れが前方部１１Ａのブラシ６７で掻き出されること等により除去され、除去された汚れは、水分及び空気と共に吸引ノズル１１から吸引される。
【００４３】
一方、電動ファン１５が作動している状態であっても吸引ノズル１１が被洗浄面と非接触の状態のときは、吸引ノズル１１内の圧力が常圧になるため、遮蔽板５３は、コイルばね８８の付勢力によって上方に引っ張られて移動し、図９（ａ）及び図１０（ａ）に示すように、板本体５３Ｃが噴射口５１Ａと対向する位置に戻る。そのため、噴射ノズル５１から噴射された洗浄液Ｗは、図１１（ａ）に示すように、遮蔽板５３の板本体５３Ｃにより遮られる。
このように、洗浄液Ｗが噴射されている状態であっても、吸引ノズル１１内が所定の負圧にならなければ、洗浄液Ｗは、遮蔽板５３の板本体５３Ｃによって遮られて、吸引ノズル１１内で吸引ホース１２側へ吸引されるため、吸引ノズル１１から外部に飛散することはない。
【００４４】
しかも、本実施形態の吸引ノズル１１においては、遮蔽板５３における中央部１１Ｃの後端部９０側の面の全体形状が椀状となっており、遮蔽板５３における中央部１１Ｃの後端部９０側の端縁５３Ｅが中央部１１Ｃと後方部１１Ｂとの嵌合状態下において噴射ノズル５１の噴射口５１Ａよりも中央部１１Ｃの後端部９０側に位置しているため、噴射ノズル５１の噴射口５１Ａが遮蔽板５３により包囲される。
【００４５】
その結果、遮蔽板５３で遮られた洗浄液Ｗは、吸引ノズル１１の内壁面に反射したり、遮蔽板５３から垂れたりすることがほとんどなく、吸引ホース１２に向けて直接吸引される。そのため、平板状の遮蔽板を備えた吸引ノズルに比して、遮蔽板５３の正面視の投影面積を小さくしても十分な遮蔽効果を発揮させることができる。
【００４６】
また、遮蔽板５３の正面視の投影面積を小さくでき、しかも遮蔽板５３における中央部１１Ｃの前端部８１側の面が丸みを帯びている（凸状体である）ため、遮蔽板５３に付着物が付き難い。そのため、遮蔽板５３への付着物に起因する吸引力の低下が抑えられ、また、遮蔽板５３の上下動を阻害し難い。このような効果は、落とした食べ物や吐出物等の比較的大きな固形物もしくは半固形物のようなものを吸引する場合に特に顕著に奏される。凸状体としては、椀状、錐体状あるいは釣鐘状等が挙げられる。
【００４７】
また、本実施形態の吸引ノズル１１によれば、前方部１１Ａと中央部１１Ｃと後方部１１Ｂとに３分割できるので、全体形状が椀状の遮蔽板５３を備えた吸引ノズル１１の組立が容易である。
また、遮蔽板５３自体、遮蔽板５３と吸引ノズル１１の内壁面との間、遮蔽板５３と噴射ノズル５１との間、噴射ノズル５１の噴射口５１Ａ、吸引ノズル１１の内壁面等を露出させるため、これらの部分の清掃が容易であると共に、噴射口５１Ａにセットされるノズルチップの交換も容易である。更に、ノズルチップを外し、噴射ノズル５１内部に詰まった異物（洗浄液内に混入していたもの）の除去も容易である。
【００４８】
本発明の吸引ノズルにおける中央部の遮蔽板は、図７及び図８に示すような、中央部１１Ｃの後端部９０側の面の全体形状が椀状となっている遮蔽板５３に制限されない。
例えば、図１２に示すように、横断面が略半円形状の半筒状の形状を有している遮蔽板５３’を用いることができる。
【００４９】
図１２に示す遮蔽板５３’における板本体５３Ｃは、略半筒形状でその上下端面部に平板状の平板部５３Ｆが設けられた形状を有している。下方の平板部５３Ｆは、板本体５３Ｃで遮られた洗浄液が遮蔽板５３から垂れ難くするために、板本体５３Ｃの端縁５３Ｅよりも中央部１１Ｃの後端部９０に向けて延出している。その他の形状は、図７及び図８に示す椀状の遮蔽板５３と同様であるため、対応する部位には同じ符号を付し、説明を省略する。
【００５０】
このような略半筒形状の遮蔽板５３’によっても、椀状の遮蔽板５３と同様の効果が奏される。略半筒形状の遮蔽板５３’は、洗浄液が円錐状に噴射される噴射ノズル５１と組み合わさせて使用される場合よりも、洗浄液が横方向に扇状に噴射される噴射ノズル５１と組み合わせて使用される場合の方が、高い洗浄液遮蔽効果が得られ、好ましい。
【００５１】
ところで、本実施形態の吸引ノズル１１においては、前方部１１Ａと中央部１１Ｃが分割できるようになっているため、前方部１１Ａを形状の異なるものに交換することにより、吸引ノズル１１の先端部１１Ｄの形状を変更することができる。
従って、前方部は、図５に示すような略筒形状のものに制限されず、例えば、図１３に示すような幅広形状の前方部１１Ａ’でもよい。
【００５２】
図１３に示す前方部１１Ａ’は、後端嵌合部６４と連通する幅広形状の前方本体６３及び後端嵌合部６４から前方本体６３に向けて拡がる一対の中空拡開部６６を備え、その全体形状が後端嵌合部６４から先端部６１に向けて拡がる形状を有している。
中空拡開部６６は、略半円弧状の中空断面を有しており、後端嵌合部６４の両側部及び前方本体６３に接続する部位ではそれらに連通している。一対の中空拡開部６６の中空部分は、前方部１１Ａと中央部１１Ｃとの嵌合状態下において、中央部１１Ｃの前端嵌合部８２の両側部に形成された一対の流通切欠部８４に対応してそれぞれ配置されるようになっている。
その他の構成は、図５に示す略筒形状の前方部１１Ａと同様であるため、対応する部位には同じ符号を付し、説明を省略する。
【００５３】
図１３に示す幅広形状の前方部１１Ａ’を組み合わせた吸引ノズル１１によれば、噴射ノズル５１から噴射された洗浄液は、中央部１１Ｃの流通切欠部８４及び前方部１１Ａの中空拡開部６６を介して、前方部１１Ａの先端部６１から幅方向に拡がった状態で被洗浄物に到達する。そのため、被洗浄物を広い幅（面積）に亘って効果的に洗浄することができ、作業効率に優れている。
【００５４】
本発明の吸引ノズルは、前述した実施形態に制限されることなく、本発明の趣旨を逸脱しない限り、例えば以下に示すように適宜変更が可能である。
前述した実施形態においては、吸引ノズル１１が前方部１１Ａ、中央部１１Ｃ及び後方部１１Ｂに３分割されるようになっているが、本発明においては、更に分割されるようになっていてもよい。
遮蔽板５３及びその導通部５３Ａ、板本体５３Ｃ等の形状は、遮蔽板５３の機能を達成できれば種々の形状とすることができる。
【００５５】
吸引ノズル１１における遮蔽板５３の構造及びそれを移動させる機構は、前述の実施形態のものに限定されない。
遮蔽板５３における中央部１１Ｃの後端部９０側の端縁は、必ずしも、中央部１１Ｃと後方部１１Ｂとの嵌合状態下において、噴射ノズル５１の噴射口５１Ａよりも中央部１１Ｃの後端部９０側に位置していなくてもよい。遮蔽板５３における中央部１１Ｃの後端部９０側の面は、必ずしも湾曲していなくてもよい。
【００５６】
噴射ノズル５１の数は１個に限定されず、２個以上でもよい。噴射ノズル５１の噴射角度も被洗浄物の形状等に応じて変えてもよい。
噴射ノズル５１の噴射口５１Ａは、必ずしも後方部１１Ｂの前端部７１から突出していなくてもよい。遮蔽板５３の板本体５３Ｃが中央部１１Ｃの前端部８１から突出していてもよい。
【００５７】
通気機構６２Ａは、前記実施形態のように吸引ノズル１１の先端部１１Ｄに設けられていることが好ましいが、噴射ノズル５１の噴射口５１Ａよりも吸引ノズルの先端部１１Ｄ寄りに設けられていれば、所望の効果が得られる。また、通気機構６２Ａは、前記実施形態のようなスリットに制限されず、例えば孔を設けたり、先端部に波形状の部材を用いることにより、実現することもできる。
【００５８】
本発明の吸引ノズルは、フローリング等の平滑な被洗浄物の洗浄よりも、カーペット等の細かい凹凸のある布地織物のような被洗浄物の洗浄に適しているが、それ以外にも、畳、フローリング、窓ガラス、壁、屋根、塀等の建物構造部の洗浄にも用いることができる。また、建物構造部以外にも、例えば、車のシート等の乗り物の座席やソファーやベッドの洗浄にも用いることもできる。
【図面の簡単な説明】
【００５９】
【図１】図１は、本発明の一実施形態の吸引ノズルを備えた湿式電気掃除機を、そのハウジングを仮想的に透過して示す斜視図である。
【図２】図２は、図１に示す湿式電気掃除機の全容を、汚れ、水分等の流通経路と共に示す模式図である。
【図３】図３は、本発明の一実施形態の吸引ノズルを示す斜視図で、前方部と中央部と後方部とを連結した状態を示す図である。
【図４】図４は、本発明の一実施形態の吸引ノズルを示す斜視図で、前方部と中央部と後方部とを分割した状態を示す図である。
【図５】図５は、本発明の一実施形態の吸引ノズルにおける前方部を示す図で、（ａ）は斜視図、（ｂ）は平面図である。
【図６】図６は、本発明の一実施形態の吸引ノズルにおける中央部を示す図である。
【図７】図７は、図６に示す中央部における遮蔽板を示す斜視図である。
【図８】図８は、図６に示す中央部における遮蔽板を示す図で、（ａ）は正面図、（ｂ）は（ａ）に示すＢ−Ｂ断面図、（ｃ）は（ａ）に示すＣ−Ｃ断面図である。
【図９】図９は、本発明の一実施形態の吸引ノズルにおける中央部と後方部とを連結した状態を示す正面図で、（ａ）は遮蔽板が上方に位置する状態を示す図、（ｂ）は遮蔽板が下方に位置する状態を示す図である。
【図１０】図１０（ａ）は図９（ａ）に示すＸＡ−ＸＡ断面図、図１０（ｂ）は図９（ｂ）に示すＸＢ−ＸＢ断面図である。
【図１１】図１１（ａ）及び図１１（ｂ）は、それぞれ図１０（ａ）及び図１０（ｂ）に示す状態において、噴射ノズルから洗浄液を噴射したときの状態を示す模式的部分断面図である。
【図１２】図１２は、別の形態の遮蔽板を示す図で、（ａ）は斜視図、（ｂ）は（ａ）に示すＢ−Ｂ断面図である。
【図１３】図１３は、別の形態の前方部を示す斜視図である。
【符号の説明】
【００６０】
１１  吸引ノズル
１１Ａ  前方部
１１Ｂ  後方部
１１Ｃ  中央部
１１Ｄ  先端部
１２  吸引ホース
１２Ａ  一端部
１２Ｂ  他端部
１４  汚水タンク
１４Ａ  導入口
１４Ｂ  排出部
１５  電動ファン
１５Ａ  吸引部
１５Ｂ  排気部
１６  フィルタ
５１  噴射ノズル
５１Ａ  噴射口
５２  送液チューブ
５３  遮蔽板
５３Ａ  導通部
５３Ｂ  棒状部分
５３Ｃ  板本体
５３Ｄ  コ字状部分
５３Ｅ  端縁
５４  屈曲管路
５５  チューブ連結部
６１  先端部
６２  軟質部材
６２Ａ  通気機構
６３  前方本体
６４  後端嵌合部
６５  ピストン切欠部
６６  中空拡開部
６７  ブラシ
６８  後端部
７１  前端部
７２  前端嵌合部
７２Ａ  係合凸条
７３  後方本体
７９  ホース連結部
８１  前端部
８２  前端嵌合部
８３  中央本体
８４  流通切欠部
８５  ガイド凸状体
８６  ピストン
８７  軸部貫通穴
８８  コイルばね
８９  後端嵌合部
８９Ａ  係合溝
９０  後端部
Ａ  混合流
Ｂ  汚水
Ｃ  空気
Ｃ’  混合流Ａから汚水Ｂをほぼ分離した空気
Ｗ  洗浄液
【図１】
2006239090.tif 000003
【図２】
2006239090.tif 000004
【図３】
2006239090.tif 000005
【図４】
2006239090.tif 000006
【図５】
2006239090.tif 000007
【図６】
2006239090.tif 000008
【図７】
2006239090.tif 000009
【図８】
2006239090.tif 000010
【図９】
2006239090.tif 000011
【図１０】
2006239090.tif 000012
【図１１】
2006239090.tif 000013
【図１２】
2006239090.tif 000014
【図１３】
2006239090.tif 000015